【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  用紙の両面に印刷する両面印刷と用紙の片面に印刷する片面印刷を切り換え可能な画像形成装置であって、
総印刷枚数が偶数であるか奇数であるかを判断する枚数判断手段と、前記両面印刷と前記片面印刷とで印字方向を揃えるための設定を行う印字方向設定手段と、前記枚数判断手段で総印刷枚数が奇数と判断され且つ前記印字方向設定手段で印字方向を揃えるための設定がなされている場合は、全ページを両面印刷シーケンスで印刷する制御を行う印刷制御手段とを有することを特徴とする画像形成装置。
【請求項２】  印刷ページが最終ページであるか否かを判断する最終ページ判断手段を有し、前記印刷制御手段は、前記枚数判断手段で総印刷枚数が奇数と判断され且つ前記印字方向設定手段で印字方向を揃えるための設定がなされておらず且つ前記最終ページ判断手段で印刷ページが最終ページであると判断された場合は、最終ページを片面印刷シーケンスで印刷する制御を行うことを特徴とする請求項１記載の画像形成装置。
【請求項３】  前記印字方向設定手段による前記両面印刷と前記片面印刷とで印字方向を揃えるための設定とは、予め用紙を綴じる穴が開けられた穴開き紙に対し前記両面印刷と前記片面印刷とで印字方向を揃えて印刷を行う穴開き紙モードの設定、予めイメージが印刷された用紙に対し前記両面印刷と前記片面印刷とで印字方向を揃えて印刷を行うプレプリント紙モードの設定を含むことを特徴とする請求項１又は２記載の画像形成装置。
【請求項４】  前記画像形成装置に対しデータ通信可能に接続された外部装置から、前記両面印刷と前記片面印刷とで印字方向を揃えるための設定が可能であることを特徴とする請求項１乃至３の何れかに記載の画像形成装置。
【請求項５】  用紙の両面に印刷する両面印刷と用紙の片面に印刷する片面印刷を切り換え可能な画像形成装置であって、
両面印刷シーケンスで２番目に印刷が行われる用紙第２面に印刷する印刷データが存在するか否かを判断する片面判断手段と、前記両面印刷と前記片面印刷とで印字方向を揃えるための設定を行う印字方向設定手段と、前記片面判断手段で前記用紙第２面に印刷する印刷データが存在しないと判断され且つ前記印字方向設定手段で印字方向を揃えるための設定がなされていない場合は、片面印刷シーケンスで印刷し、それ以外の場合は、両面印刷シーケンスで印刷する制御を行う印刷制御手段とを有することを特徴とする画像形成装置。
【請求項６】  最終ページの印刷が完了したか否かを判断する終了判断手段を有することを特徴とする請求項５記載の画像形成装置。
【請求項７】  前記印字方向設定手段による前記両面印刷と前記片面印刷とで印字方向を揃えるための設定とは、予め用紙を綴じる穴が開けられた穴開き紙に対し前記両面印刷と前記片面印刷とで印字方向を揃えて印刷を行う穴開き紙モードの設定、予めイメージが印刷された用紙に対し前記両面印刷と前記片面印刷とで印字方向を揃えて印刷を行うプレプリント紙モードの設定を含むことを特徴とする請求項５又は６記載の画像形成装置。
【請求項８】  前記画像形成装置に対しデータ通信可能に接続された外部装置から、前記両面印刷と前記片面印刷とで印字方向を揃えるための設定が可能であることを特徴とする請求項５乃至７の何れかに記載の画像形成装置。
【請求項９】  用紙の両面に印刷する両面印刷と用紙の片面に印刷する片面印刷を切り換え可能な画像形成装置であって、
総印刷枚数が偶数であるか否かを判断する枚数判断手段と、前記両面印刷と前記片面印刷とで印字方向を揃えるための設定を行う印字方向設定手段と、前記枚数判断手段で総印刷枚数が奇数と判断され且つ前記印字方向設定手段で印字方向を揃えるための設定がなされている場合でも、片面印刷シーケンスで印刷する制御を行う印刷制御手段とを有することを特徴とする画像形成装置。
【請求項１０】  印刷ページが最終ページであるか否かを判断する最終ページ判断手段と、印刷イメージの上下反転を行う反転手段とを有し、前記印刷制御手段は、前記枚数判断手段で総印刷枚数が奇数と判断され且つ前記最終ページ判断手段で印刷ページが最終ページであると判断され且つ前記印字方向設定手段で印字方向を揃えるための設定がなされている場合は、前記反転手段により最終ページの印刷イメージを上下反転させた後、片面印刷シーケンスで印刷する制御を行うことを特徴とする請求項９記載の画像形成装置。
【請求項１１】  前記印字方向設定手段による前記両面印刷と前記片面印刷とで印字方向を揃えるための設定とは、予め用紙を綴じる穴が開けられた穴開き紙に対し前記両面印刷と前記片面印刷とで印字方向を揃えて印刷を行う穴開き紙モードの設定、予めイメージが印刷された用紙に対し前記両面印刷と前記片面印刷とで印字方向を揃えて印刷を行うプレプリント紙モードの設定を含むことを特徴とする請求項９又は１０に記載の画像形成装置。
【請求項１２】  前記画像形成装置に対しデータ通信可能に接続された外部装置から、前記両面印刷と前記片面印刷とで印字方向を揃えるための設定が可能であることを特徴とする請求項９乃至１１の何れかに記載の画像形成装置。
【請求項１３】  用紙の両面に印刷する両面印刷と用紙の片面に印刷する片面印刷を切り換え可能な画像形成装置であって、
両面印刷シーケンスで２番目に印刷が行われる用紙第２面に印刷する印刷データが存在するか否かを判断する片面判断手段と、前記片面判断手段で前記用紙第２面に印刷する印刷データが存在しないと判断された場合は、該２番目に印刷が行われる用紙に対して片面印刷シーケンスで印刷する制御を行う印刷制御手段とを有することを特徴とする画像形成装置。
【請求項１４】  前記両面印刷と前記片面印刷とで印字方向を揃えるための設定を行う印字方向設定手段と、印刷イメージの上下反転を行う反転手段とを有し、前記印刷制御手段は、前記片面判断手段で前記用紙第２面に印刷する印刷データが存在しないと判断され且つ前記印字方向設定手段で印字方向を揃えるための設定がなされている場合は、前記反転手段により現在のページの印刷イメージを上下反転させた後、片面印刷シーケンスで印刷する制御を行うことを特徴とする請求項１３記載の画像形成装置。
【請求項１５】  前記印字方向設定手段による前記両面印刷と前記片面印刷とで印字方向を揃えるための設定とは、予め用紙を綴じる穴が開けられた穴開き紙に対し前記両面印刷と前記片面印刷とで印字方向を揃えて印刷を行う穴開き紙モードの設定、予めイメージが印刷された用紙に対し前記両面印刷と前記片面印刷とで印字方向を揃えて印刷を行うプレプリント紙モードの設定を含むことを特徴とする請求項１３又は１４に記載の画像形成装置。
【請求項１６】  前記画像形成装置に対しデータ通信可能に接続された外部装置から、前記両面印刷と前記片面印刷とで印字方向を揃えるための設定が可能であることを特徴とする請求項１３乃至１５の何れかに記載の画像形成装置。
【請求項１７】  用紙の両面に印刷する両面印刷と用紙の片面に印刷する片面印刷を切り換え可能な画像形成装置の制御方法であって、
総印刷枚数が偶数であるか否かを判断する枚数判断ステップと、前記枚数判断ステップで総印刷枚数が奇数と判断され且つ前記両面印刷と前記片面印刷とで印字方向を揃えるための設定がなされている場合は、全ページを両面印刷シーケンスで印刷する制御を行う印刷制御ステップとを有することを特徴とする制御方法。
【請求項１８】  用紙の両面に印刷する両面印刷と用紙の片面に印刷する片面印刷を切り換え可能な画像形成装置の制御方法であって、
両面印刷シーケンスで２番目に印刷が行われる用紙第２面に印刷する印刷データが存在するか否かを判断する片面判断ステップと、前記片面判断ステップで前記用紙第２面に印刷する印刷データが存在しないと判断され且つ前記両面印刷と前記片面印刷とで印字方向を揃えるための設定がなされていない場合は、片面印刷シーケンスで印刷し、それ以外の場合は、両面印刷シーケンスで印刷する制御を行う印刷制御ステップとを有することを特徴とする制御方法。
【請求項１９】  用紙の両面に印刷する両面印刷と用紙の片面に印刷する片面印刷を切り換え可能な画像形成装置の制御方法であって、
総印刷枚数が偶数であるか否かを判断する枚数判断ステップと、前記枚数判断ステップで総印刷枚数が奇数と判断され且つ前記両面印刷と前記片面印刷とで印字方向を揃えるための設定がなされている場合でも、片面印刷シーケンスで印刷する制御を行う印刷制御ステップとを有することを特徴とする制御方法。
【請求項２０】  用紙の両面に印刷する両面印刷と用紙の片面に印刷する片面印刷を切り換え可能な画像形成装置の制御方法であって、
両面印刷シーケンスで２番目に印刷が行われる用紙第２面に印刷する印刷データが存在するか否かを判断する片面判断ステップと、前記片面判断ステップで前記用紙第２面に印刷する印刷データが存在しないと判断された場合は、該２番目に印刷が行われる用紙に対して片面印刷シーケンスで印刷する制御を行う印刷制御ステップとを有することを特徴とする制御方法。
【請求項２１】  用紙の両面に印刷する両面印刷と用紙の片面に印刷する片面印刷を切り換え可能な画像形成装置に適用される制御方法を実行するプログラムを記憶したコンピュータにより読み出し可能な記憶媒体であって、
前記制御方法は、総印刷枚数が偶数であるか否かを判断する枚数判断ステップと、前記枚数判断ステップで総印刷枚数が奇数と判断され且つ前記両面印刷と前記片面印刷とで印字方向を揃えるための設定がなされている場合は、全ページを両面印刷シーケンスで印刷する制御を行う印刷制御ステップとを有することを特徴とする記憶媒体。
【請求項２２】  用紙の両面に印刷する両面印刷と用紙の片面に印刷する片面印刷を切り換え可能な画像形成装置の制御方法を実行するプログラムを記憶したコンピュータにより読み出し可能な記憶媒体であって、
前記制御方法は、両面印刷シーケンスで２番目に印刷が行われる用紙第２面に印刷する印刷データが存在するか否かを判断する片面判断ステップと、前記片面判断ステップで前記用紙第２面に印刷する印刷データが存在しないと判断され且つ前記両面印刷と前記片面印刷とで印字方向を揃えるための設定がなされていない場合は、片面印刷シーケンスで印刷し、それ以外の場合は、両面印刷シーケンスで印刷する制御を行う印刷制御ステップとを有することを特徴とする記憶媒体。
【請求項２３】  用紙の両面に印刷する両面印刷と用紙の片面に印刷する片面印刷を切り換え可能な画像形成装置の制御方法を実行するプログラムを記憶したコンピュータにより読み出し可能な記憶媒体であって、
前記制御方法は、総印刷枚数が偶数であるか否かを判断する枚数判断ステップと、前記枚数判断ステップで総印刷枚数が奇数と判断され且つ前記両面印刷と前記片面印刷とで印字方向を揃えるための設定がなされている場合でも、片面印刷シーケンスで印刷する制御を行う印刷制御ステップとを有することを特徴とする記憶媒体。
【請求項２４】  用紙の両面に印刷する両面印刷と用紙の片面に印刷する片面印刷を切り換え可能な画像形成装置の制御方法を実行するプログラムを記憶したコンピュータにより読み出し可能な記憶媒体であって、
前記制御方法は、両面印刷シーケンスで２番目に印刷が行われる用紙第２面に印刷する印刷データが存在するか否かを判断する片面判断ステップと、前記片面判断ステップで前記用紙第２面に印刷する印刷データが存在しないと判断された場合は、該２番目に印刷が行われる用紙に対して片面印刷シーケンスで印刷する制御を行う印刷制御ステップとを有することを特徴とする記憶媒体。
【請求項２５】  用紙の両面に印刷する両面印刷と用紙の片面に印刷する片面印刷を切り換え可能な画像形成装置に供給されるプログラムであって、
総印刷枚数が偶数であるか否かを判断する枚数判断モジュールと、前記枚数判断モジュールで総印刷枚数が奇数と判断され且つ前記両面印刷と前記片面印刷とで印字方向を揃えるための設定がなされている場合は、全ページを両面印刷シーケンスで印刷する制御を行う印刷制御モジュールとを有することを特徴とするプログラム。
【請求項２６】  用紙の両面に印刷する両面印刷と用紙の片面に印刷する片面印刷を切り換え可能な画像形成装置に供給されるプログラムであって、
両面印刷シーケンスで２番目に印刷が行われる用紙第２面に印刷する印刷データが存在するか否かを判断する片面判断モジュールと、前記片面判断ステップで前記用紙第２面に印刷する印刷データが存在しないと判断され且つ前記両面印刷と前記片面印刷とで印字方向を揃えるための設定がなされていない場合は、片面印刷シーケンスで印刷し、それ以外の場合は、両面印刷シーケンスで印刷する制御を行う印刷制御モジュールとを有することを特徴とするプログラム。
【請求項２７】  用紙の両面に印刷する両面印刷と用紙の片面に印刷する片面印刷を切り換え可能な画像形成装置に供給されるプログラムであって、
総印刷枚数が偶数であるか否かを判断する枚数判断モジュールと、前記枚数判断ステップで総印刷枚数が奇数と判断され且つ前記両面印刷と前記片面印刷とで印字方向を揃えるための設定がなされている場合でも、片面印刷シーケンスで印刷する制御を行う印刷制御モジュールとを有することを特徴とするプログラム。
【請求項２８】  用紙の両面に印刷する両面印刷と用紙の片面に印刷する片面印刷を切り換え可能な画像形成装置に供給されるプログラムであって、
両面印刷シーケンスで２番目に印刷が行われる用紙第２面に印刷する印刷データが存在するか否かを判断する片面判断モジュールと、前記片面判断ステップで前記用紙第２面に印刷する印刷データが存在しないと判断された場合は、該２番目に印刷が行われる用紙に対して片面印刷シーケンスで印刷する制御を行う印刷制御モジュールとを有することを特徴とするプログラム。
【請求項２９】  複数ページからなるジョブの両面プリントが可能な画像形成装置であって、
両面プリントモードが設定されたジョブ内の所定ページと前記所定ページ以外の前記ジョブに含まれる全てのページを両面プリントシーケンスで処理する第１モードと、前記両面プリントモードが設定された前記ジョブに含まれる前記所定ページ以外のページを前記両面プリントシーケンスで処理し、前記所定ページを片面プリントシーケンスで処理する第２モードを選択的に実行させる制御手段とを有することを特徴とする画像形成装置。
【請求項３０】  前記制御手段は、前記ジョブの総印刷枚数が奇数枚か偶数枚かを判断するための情報を少なくとも有する前記ジョブのプリント条件情報に基づいて前記画像形成装置に前記第１モード及び前記第２モードの何れかを実行させることを特徴とする請求項２９記載の画像形成装置。
【請求項３１】  前記制御手段は、前記ジョブの総印刷枚数が偶数枚である場合に前記第１モードを実行させ、前記ジョブの総印刷枚数が奇数枚である場合に前記第２モードを実行させることを特徴とする請求項２９又は３０に記載の画像形成装置。
【請求項３２】  前記画像形成装置は、所定タイプのシートを含む複数タイプのシートのうちの何れかのタイプのシートに選択的にプリント可能であって、
前記制御手段は、前記ジョブが前記所定タイプのシートを使用するジョブであるか否かを判断するための情報を少なくとも有する前記ジョブのプリント条件情報に基づいて前記画像形成装置に前記第１モード及び前記第２モードの何れかを実行させることを特徴とする請求項２９乃至３１の何れかに記載の画像形成装置。
【請求項３３】  前記所定タイプのシートは、予めパンチ処理が施されたプレパンチシート、及び、予めプリント処理が施されたプレプリントシートのうちの、少なくとも何れかのタイプのシートを含むことを特徴とする請求項３２記載の画像形成装置。
【請求項３４】  前記制御手段は、前記ジョブが前記所定タイプのシートを使用するジョブの場合に前記第１モードを実行させ、前記ジョブが前記所定タイプ以外のタイプのシートを使用するジョブの場合に前記第２モードを実行させることを特徴とする請求項３２又は３３に記載の画像形成装置。
【請求項３５】  前記制御手段は、前記ジョブに含まれる偶数ページ目がブランクページ（白紙）であるか否かを判断するための情報を少なくとも有する前記ジョブのプリント条件情報に基づいて前記第１モード及び前記第２モードの何れかを実行させることを特徴とする請求項２９乃至３４の何れかに記載の画像形成装置。
【請求項３６】  前記制御手段は、前記ジョブに含まれる偶数ページ目がブランクページの場合に前記第１モードを実行させ、前記ジョブに含まれる偶数ページ目がブランクページではない場合に前記第２モードを実行させることを特徴とする請求項３５記載の画像形成装置。
【請求項３７】  前記制御手段は、プレパンチシートにプリントを行うプレパンチモード及びプレプリントシートにプリントを行うプレプリントモードの少なくとも何れかを含み且つ印字方向を揃える必要がある画像形成モードに前記ジョブが設定されたか否かを判断するための情報を有する前記ジョブのプリント条件情報に基づいて、前記第１モード及び前記第２モードの何れかを実行させることを特徴とする請求項２９乃至３６の何れかに記載の画像形成装置。
【請求項３８】  前記制御手段は、前記前記プレパンチモード又は前記プレプリントモードの画像形成モードに前記ジョブが設定された場合に前記第１モードを実行させ、前記プレパンチモード及び前記プレプリントモードの何れにもジョブが設定されていない場合に前記第２モードを実行させることを特徴とする請求項３７記載の画像形成装置。
【請求項３９】  前記制御手段は、前記ジョブの総印刷枚数が奇数枚で且つ所定タイプのプリントシートを使用するジョブの場合に前記第１モードを実行させ、前記ジョブの総印刷枚数が奇数枚で且つ前記所定タイプのプリントシート以外のタイプのプリントシートを使用するジョブの場合に前記第２モードを実行させることを特徴とする請求項２９乃至３８の何れかに記載の画像形成装置。
【請求項４０】  前記制御手段は、プレパンチシートにプリントを行うプレパンチモード及びプレプリントシートにプリントを行うプレプリントモードの少なくとも何れかを含み、且つ印字方向を揃える必要がある所定の画像形成モードが設定された総印刷枚数が奇数枚であるジョブの場合に前記第１モードを実行させ、前記所定の画像形成モードが設定されていない総印刷枚数が奇数枚であるジョブの場合に前記第２モードを実行させることを特徴とする請求項２９乃至３９の何れかに記載の画像形成装置。
【請求項４１】  前記所定ページは前記ジョブの最終ページであることを特徴とする請求項２９乃至４０の何れかに記載の画像形成装置。
【請求項４２】  前記所定ページは前記ジョブの偶数ページ目のページであることを特徴とする請求項２９乃至４０の何れかに記載の画像形成装置。
【請求項４３】  複数ページからなるジョブの両面プリントが可能な画像形成装置の制御方法であって、
両面プリントモードが設定されたジョブ内の所定ページと前記所定ページ以外の前記ジョブに含まれる全てのページを両面プリントシーケンスで処理する第１モードと、前記両面プリントモードが設定された前記ジョブに含まれる前記所定ページ以外のページを前記両面プリントシーケンスで処理し、前記所定ページを片面プリントシーケンスで処理する第２モードとを選択的に実行させることを特徴とする制御方法。
【請求項４４】  複数ページからなるジョブの両面プリントが可能な画像形成装置の制御方法を実行するプログラムを記憶したコンピュータにより読み出し可能な記憶媒体であって、
前記制御方法は、両面プリントモードが設定されたジョブ内の所定ページと前記所定ページ以外の前記ジョブに含まれる全てのページを両面プリントシーケンスで処理する第１モードと、前記両面プリントモードが設定された前記ジョブに含まれる前記所定ページ以外のページを前記両面プリントシーケンスで処理し、前記所定ページを片面プリントシーケンスで処理する第２モードとを選択的に実行させる制御ステップを有することを特徴とする記憶媒体。
【請求項４５】  前記画像形成装置は、プリンタ、複写機、プリント機能及びコピー機能を含む複数機能を有する複合機、のうちの少なくとも何れかを含むことを特徴とする請求項１乃至１６及び２９乃至４２の何れかに記載の画像形成装置。